(57)【要約】【課題】横長の支持ユニットに、棚装置、キャビネット、黒板等の高寸のワークステーション構成要素を、安定して、簡単かつ強固に、しかも容易にレイアウト変更できるようにして支持しうるようにしたワークステーション装置を提供する。【解決手段】床上に設けた横長の支持ユニットＡの両端部に、追加支柱１を立設し、両追加支柱１、１の上部に、支持ユニットＡと平行をなす上部梁杆２を架設し、支持ユニットＡに、複数の支杆支持部３を長手方向に並べて設け、任意の支杆支持部３に、ワークステーション構成要素７の下端部に設けた支杆８を支持させるとともに、ワークステーション構成要素７の上端部を、上部梁杆２に結合する。【選択図】        図１
2004223152.tif 000002
【特許請求の範囲】
【請求項１】
床上に設けた横長の支持ユニットの両端部に、追加支柱を立設し、両追加支柱の上部に、前記支持ユニットと平行をなす上部梁杆を架設し、前記支持ユニットに、複数の支杆支持部を長手方向に並べて設け、任意の支杆支持部に、ワークステーション構成要素の下端部に設けた支杆を支持させるとともに、前記ワークステーション構成要素の上端部を、前記上部梁杆に結合したことを特徴とするワークステーション装置。
【請求項２】
ワークステーション構成要素が、棚装置、キャビネット、黒板、白板、ピンナップボード、仕切りパネルのいずれかである請求項１記載のワークステーション装置。
【請求項３】
上部梁杆の前面に、開口部の幅を奥部の幅より小とした長手方向を向く係合溝を設け、頭部が前記係合溝の奥部に嵌合され、前記係合溝から前方に抜け止めされるようにした締着手段をもって、ワークステーション構成要素の上端部を上部梁杆に締着した請求項１または２記載のワークステーション装置。
【請求項４】
締着手段が、長手方向の寸法を上部梁杆の係合溝の開口幅より長く、かつ長手方向と直交する方向の幅を前記係合溝の開口幅より小とした頭部を有するねじ座と、このねじ座と螺合し、かつワークステーション構成要素の上端部を上部梁杆に締着するねじとを備えている請求項３記載のワークステーション装置。
【請求項５】
支杆支持部が、支持ユニットに設けられた水平の受支板に穿設され、支杆が嵌合されるようにした嵌合孔を備えている請求項１〜４のいずれかに記載のワークステーション装置。
【請求項６】
支杆支持部が、支持ユニットにおける受支板の下方に受支板と平行に設けられた下部梁杆に、長手方向に取付位置調節可能として装着され、かつ受支板の嵌合孔に嵌合された支杆の下端部が嵌合されるようにした支持孔を有する支持ブロックを備えている請求項５記載のワークステーション装置。
【請求項７】
ワークステーション構成要素の下端における支杆から前後いずれかに離れた部分に、下端が接床するようにした脚杆を設けた請求項１〜６のいずれかに記載のワークステーション装置。
【発明の詳細な説明】
【０００１】
【発明の属する技術分野】
本発明は、オフィス、工場、学習室等において、用途や目的に応じて、テーブルや仕切り等の構成要素のレイアウトを、容易に変更できるようにしたワークステーション装置において、特に棚等の高寸のワークステーション構成要素を支持するのに適した構造に関する。
【０００２】
【従来の技術】
従来のこの種のワークステーション装置としては、フロアの所定箇所に配設される位置決め要素と、フロア上を自由に移動させて、共同ワークエリアまたは個人ワークエリアを適宜形成するための移動家具とを備え、オフィスワーカーの交流性と自律性とを両立しうるようにしたものがある（例えば特許文献１参照）。
【０００３】
また、配線ダクトとしての機能を有する横杆体の上面に、長手方向を向く溝を形成し、この溝に、スクリーンやパネル、天板支持用のブラケット等を、長手方向に取付位置調節可能として装着しうるようにしたものがある（例えば特許文献２参照）。
【０００４】
【特許文献１】
特開平９−２９９１６７号公報（図１、図１０〜図１４）
【特許文献２】
特開平１０−２６２７４４号公報（図６、図７、図２０）
【０００５】
【発明が解決しようとする課題】
上述の前者は、机、収納庫、ホワイトボード等の各ワークステーション構成要素を、互いに独立して自立し、しかもフロア上を自由に移動できるようにするため、それらの下端に水平の脚等を設けなければならず、その脚が通行の妨げとなる。また、各ワークステーション構成要素の傾倒を防止するため、各机の相互間を互いに連結するようにすると、その連結作業が煩雑になる。
【０００６】
後者は、パネルや天板を、横杆体の上面に設けた溝に嵌合して支持しているだけであるので、それらの支持が不安定であり、またそれらが横杆体の長手方向に妄りに移動するおそれがあり、さらに、棚装置やホワイトボード等の高寸のワークステーション構成要素を横杆体に安定して支持させることは困難である。
【０００７】
本発明は、従来の技術が有する上記のような問題点に鑑み、横長の支持ユニットに、棚装置、キャビネット、黒板等の高寸のワークステーション構成要素を、安定して、簡単かつ強固に、しかも容易にレイアウト変更できるようにして支持しうるようにしたワークステーション装置を提供することを目的としている。
【０００８】
【課題を解決するための手段】
本発明によると、上記課題は次のようにして解決される。
（１）床上に設けた横長の支持ユニットの両端部に、追加支柱を立設し、両追加支柱の上部に、前記支持ユニットと平行をなす上部梁杆を架設し、前記支持ユニットに、複数の支杆支持部を長手方向に並べて設け、任意の支杆支持部に、ワークステーション構成要素の下端部に設けた支杆を支持させるとともに、前記ワークステーション構成要素の上端部を、前記上部梁杆に結合する。
【０００９】
（２）上記（１）項において、ワークステーション構成要素を、棚装置、キャビネット、黒板、白板、ピンナップボード、仕切りパネルのいずれかとする。
【００１０】
（３）上記（１）または（２）項において、上部梁杆の前面に、開口部の幅を奥部の幅より小とした長手方向を向く係合溝を設け、頭部が前記係合溝の奥部に嵌合され、前記係合溝から前方に抜け止されるようにした締着手段をもって、ワークステーション構成要素の上端部を上部梁杆に締着する。
【００１１】
（４）上記（３）項において、締着手段が、長手方向の寸法を上部梁杆の係合溝の開口幅より長く、かつ長手方向と直交する方向の幅を前記係合溝の開口幅より小とした頭部を有するねじ座と、このねじ座と螺合し、かつワークステーション構成要素の上端部を上部梁杆に締着するねじとを備えるものとする。
【００１２】
（５）上記（１）〜（４）項のいずれかにおいて、支杆支持部が、支持ユニットに設けられた水平の受支板に穿設され、支杆が嵌合されるようにした嵌合孔を備えるものとする。
【００１３】
（６）上記（５）項において、支杆支持部が、支持ユニットにおける受支板の下方に受支板と平行に設けられた下部梁杆に、長手方向に取付位置調節可能として装着され、かつ受支板の嵌合孔に嵌合された支杆の下端部が嵌合されるようにした支持孔を有する支持ブロックを備えるものとする。
【００１４】
（７）上記（１）〜（６）項のいずれかにおいて、ワークステーション構成要素の下端における支杆から前後いずれかに離れた部分に、下端が接床するようにした脚杆を設ける。
【００１５】
【発明の実施の形態】
以下、本発明の一実施形態を、添付図面を参照して説明する。
図１は、本発明のワークステーション装置の一実施形態を示す。
【００１６】
この例では、ワークステーション装置は、床上に直列に設けた同一構成の２組の横長の支持ユニット（Ａ１）（Ａ２）の両側端部と中間連結部とに追加支柱（１）をそれぞれ立設し、左右に並ぶ３本の追加支柱（１）の上部に、支持ユニット（Ａ１）（Ａ２）と平行の上部梁杆（２）を架設し、支持ユニット（Ａ１）（Ａ２）に、複数の支杆支持部（３）を長手方向に並べて設け、任意の支杆支持部（３）に、ワークステーション構成要素である２種類のテーブル（机を含む）（４）（５）、左右２枚の仕切りパネル（６）、及び棚装置（７）等の下端部に設けた支杆（８）（図４以降参照）を支持させるとともに、上記ワークステーション構成要素のうち、高寸の仕切りパネル（６）と棚装置（７）との上端部を、上部梁杆（２）に結合させて構成されている。
【００１７】
図２は、１単位の支持ユニット（Ａ）を示し、任意の単位を横方向に直列に連結することにより、所望に応じた長さとすることができるようになっている。
【００１８】
図２に示すように、１単位の支持ユニット（Ａ）は、左右１対の支持脚（９）（９）と、それらの上部の対向面間に支持された左右方向に長い基杆（１０）とを備えている。
【００１９】
図２及び図３に示すように、基杆（１０）は、左右１対の支持脚（９）（９）の上部の対向面に固着された側面視ほぼＹ字状をなす左右１対の側枠（１１）（１１）と、その上端前後部に両端が固着された左右方向を向く前後１対のサイドビーム（１２）（１２）と、側面視上向きコ字状をなし、前後の起立片（１３ａ）（１３ａ）が前後のサイドビーム（１２）（１２）の内側面に固着された左右方向を向くほぼ水平の受支板（１３）と、受支板（１３）の中央部の下方にそれと平行をなすようにして配設され、かつ左右の両端が、両側枠（１１）（１１）の下部中央に固着された梁杆（１４）と、梁杆（１４）の長手方向の適所の上面に設けられ、かつ上端で受支板（１３）を支持する１個または複数個の起立板（１５）とを備えている。
【００２０】
受支板（１３）の中央部と前後の両側部とには、それぞれが支杆支持部（３）をなす多数の嵌合孔（１６）が、長手方向に３列として、かつ中央のものより両側部のものの方の間隔を密として、並べて設けられている。
各嵌合孔（１６）は、図４にその１個のみを拡大して示すように、円形の孔の左右の縁に、所要幅の方形の凹入部（１６ａ）を設けた形状としてある。
【００２１】
図９及び図１０に示すように、梁杆（１４）は、側面視幅広Ｉ形をなす角筒状のもので、その上面中央には、開口部（１７ａ）より下部（１７ｂ）の前後幅を大とした倒立Ｔ字状の係合溝（１７）が、前後の両側面には、底面を外方に向かって上向き傾斜する傾斜面（１８ａ）とした係合凹溝（１８）が、また下面の前後両側部には、倒立台形状の下向き突条（１９）（１９）が、それぞれ長手方向に連続するように設けられている。前後に対向する下向き突条（１９）（１９）の対向面は、外方に向かって下向き傾斜する傾斜面（１９ａ）としてある。
【００２２】
図１及び図２に示すように、各支持ユニット（Ａ）は、前後のサイドビーム（１２）（１２）に上端部が係止され、各基杆（１０）の前後面を覆うサイドカバー（２０）（２０）と、最も外側の支持脚（９）の外側面に着脱自在に装着され、支持ユニット（Ａ）の左右の端面を覆うエンドカバー（２１）とを備えている。なお、支持ユニット（Ａ）における中間部の支持脚（９）の左右の両側面には、互いに隣接する基杆（１０）の側枠（１１）が固着され、エンドカバー（２１）は設けられていない。
【００２３】
支持ユニット（Ａ）における受支板（１３）の上方の空間と、その下方における前後のサイドカバー（２０）（２０）により囲まれた空間とは、各種の電気機器への給電線、信号線、コネクタケーブル等の配線用の配線ダクトとなっている。
【００２４】
各追加支柱（１）は、支持脚（９）の上端より所要量だけ差し込まれ、側方よりねじ止め（図示略）されている。また、上部梁杆（２）の左右の端部は、左右１対の追加支柱（１）（１）の上端部にボルト（図示略）により固着されている。
【００２５】
追加支柱（１）と上部梁杆（２）とは、同一の長円形断面形状の押し出し成型品からなり、追加支柱（１）は長円形断面の長軸が前後方向を向くようにして、また上部梁杆（２）は長円形断面の長軸が上下方向を向くようにして用いられ、追加支柱（１）の前後面と両側面、及び上部梁杆（２）の上下面と前後面には、開口部（２２ａ）の幅を奥部（２２ｂ）の幅より小とした、長手方向を向くほぼＴ字状断面の係合溝（２２）がそれぞれ設けられている（図８参照）。
【００２６】
上述したように、ワークステーション構成要素（４）〜（７）のそれぞれは、受支板（１３）におけるいずれかの嵌合孔（１６）に嵌合しうる少なくとも１本の垂直の支杆（８）を備えている。
【００２７】
詳言すると、図１における左右のテーブル（４）（５）の各々は、図４に示すように、左右の側面に複数の係合孔（２３）が上下方向に並べて設けられ、かつ上端に前後方向を向く水平杆（２４）を有する左右２本の支杆（８）と、この各支杆（８）より前後方向に離間し、かつ上下方向の長さ調節手段（図示略）を有する左右２本の接床用脚杆（２５）とにより、互いに形状の異なる天板（２６）（２７）がそれぞれ支持されている。
【００２８】
嵌合孔（１６）に嵌合する支杆（８）は、接床用脚杆（２５）より短くしてある。
また、各係合孔（２３）は、上下方向に長い長円形としてある（図９及び図１０参照）。
【００２９】
図１及び図８に示すように、左右方向を向く垂直の仕切りパネル（６）の下端部を受支する側面視上向きコ字状の左右方向に長いパネル受枠（２８）の両側端部下面には、上述したのと同様の係合孔（２３）を両側面に設けた垂直の支杆（８）が設けられている。
【００３０】
図５及び図６に示すように、棚装置（７）の後部下端には、上述したのと同様の係合孔（２３）を両側面に設けた左右１対の垂直の支杆（８）（８）が設けられている。棚装置（７）における左右１対の支杆（８）（８）の上部には、前方に向かって側面視ほぼコ字状をなして突出する側部フレーム（２９）（２９）が、鋼管を折曲することにより支杆（８）と一体的に形成されている。
各側部フレーム（２９）は、支杆（８）の上端より前方を向く下部腕杆（３０）と、その前端より起立する縦杆（３１）と、その上端より後方を向く上部腕杆（３２）とを備えている。
【００３１】
各縦杆（３１）の後面には、複数の係止孔（３３）が上下方向に並べて穿設されており、そのいずれかに、後方を向くブラケット（３４）の前端に設けられた複数のフック（３４ａ）を係止し、左右に対応するブラケット（３４）（３４）間に、棚板（３５）を架設することにより、左右の側部フレーム（２９）（２９）間に複数の棚板（３５）が上下に多段状に設けられている。
【００３２】
各棚板（３５）の後端に設けられた倒立Ｕ字状の折曲片（３６）に、コ字状に折曲された吊り杆（３７）の中間部を係止し、吊り杆（３７）の両端末に形成された下向きフック（３８）を、各縦杆（３１）の後面における棚板（３５）より上方の位置に穿設された係合孔（３９）に係止することにより、各棚板（３５）はほぼ水平を維持するように吊支されている。
【００３３】
図６〜図８に示すように、左右の側部フレーム（２９）（２９）における各上部腕杆（３２）の後端には、連結部材（４０）における前後方向を向く筒状の本体（４１）の前端に連設された前方を向く差し込み筒部（４２）が嵌合され、かつねじ止めされている。
差し込み筒部（４２）に対して平面視Ｌ字状をなすように本体（４１）の側面より横向きに突出する差し込み筒部（４３）は、左右方向を向く筒状の上部フレーム（４４）の各端部に嵌合され、かつねじ止めされることにより、左右の側部フレーム（２９）（２９）における上部腕杆（３２）（３２）の後端部同士が、互いに連結されている。
【００３４】
各連結部材（４０）の本体（４１）の後端面には、角孔（４５）が穿設されており、ここには、角柱状のねじ座（４６）が嵌合しうるようになっている。
ねじ座（４６）の後端には、小径の頸部（４７）を介して、ほぼ長方形の拡大頭部（４８）が連設されている。拡大頭部（４８）の長手方向の寸法は、上部梁杆（２）の前面に設けられた係合溝（２２）の開口部（２２ａ）の幅より長く、好ましくは係合溝（２２）の奥部（２２ｂ）の幅とほぼ同一かまたは若干小とし、かつそれと直交する方向の幅は、上記係合溝（２２）の開口部（２２ａ）の幅より小としてある。
【００３５】
拡大頭部（４８）を、その長手方向が水平となるようにして、上部梁杆（２）の前面における係合溝（２２）の開口部（２２ａ）より奥部（２２ｂ）まで挿入した後、ねじ座（４６）全体をその中心軸線回りにほぼ９０°回転し、拡大頭部（４８）の両端部が係合溝（２２）における奥部（２２ｂ）と開口部（２２ａ）との段差部に係合した状態で、ねじ座（４６）を各連結部材（４０）の本体（４１）における角孔（４５）に嵌合し、各連結部材（４０）の差し込み筒部（４２）内に挿入したねじ（４９）をねじ座（４６）に螺合して締め付けることにより、各連結部材（４０）を上部梁杆（２）の前面に固着し、各連結部材（４０）の差し込み筒部（４２）を各側部フレーム（２９）における上部腕杆（３２）の後端に、また差し込み筒部（４２）を上部フレーム（４４）の各端部にそれぞれ嵌合してねじ止めすることにより、棚装置（７）は、上部梁杆（２）の前面に強固に固着される。
【００３６】
かくして、ねじ座（４６）とねじ（４９）とにより、上部梁杆（２）の前面の係合溝（２２）から前方に抜け止めされるようにして、棚装置（７）の上端部を上部梁杆（２）に締着する締着手段が形成されている。
【００３７】
次に、図４〜図１３を参照して、支持ユニット（Ａ）への各ワークステーション構成要素（１）〜（８）の取付構造及び取付要領について説明する。
【００３８】
図４、図９、及び図１０に示すように、テーブル（４）（５）の支杆（８）は、互いに向き合わせて合体させることにより、上端部に拡径フランジ（５０）を備える上下方向を向くスリーブ（５１）を形成するようにした１対のほぼ半円筒状のスリーブ分割片（５１ａ）（５１ａ）の内面に、支杆（８）の複数の係合孔（２３）に選択的に係合しうるようにした上下２個の突部（５２）（５２）を設け、この突部（５２）（５２）が所望の係合孔（２３）（２３）に嵌合するようにして、両スリーブ分割片（５１ａ）（５１ａ）により支杆（８）を両側方より挟み、両スリーブ分割片（５１ａ）（５１ａ）を支杆（８）の外周において合体させて形成したスリーブ（５１）を、筒体（５３）に外嵌し、かつ筒体（５３）の下部に設けた縮径段部（５３ａ）を、受支板（１３）に穿設した両側部の列の多数の嵌合孔（１６）の所望のものに嵌合することにより、受支板（１３）上に起立状態で支持されている。
【００３９】
スリーブ（５１）の拡径フランジ（５０）は、その外周部を下方に向かって折り返すことにより、下面の内側に上向きの環状溝（５４）が形成され、この環状溝（５４）に筒体（５３）の上端に設けた上向きの環状突条（５５）を嵌合することにより、両スリーブ分割片（５１ａ）（５１ａ）の相互の位置ずれやがたつきが防止されるようになっている。
【００４０】
図１０及び図１１に示すように、筒体（５３）における縮径段部（５３ａ）の外周面の左右の両側部には、円周方向の幅を嵌合孔（１６）の凹入部（１６ａ）（図４参照）の幅より小とした水平板状の突部（５６）が形成されている。この突部（５６）の上面両側部には、緩やかな外方下向きの傾斜面（５６ａ）（５６ａ）が形成されている。
【００４１】
図１１に示すように、筒体（５３）における縮径段部（５３ａ）の上端に連設した拡径鍔部（５３ｂ）の下面における突部（５６）と対向する部分には、突部（５６）の上面とほぼ補形をなす凹部（５７）が形成されている。
筒体（５３）における拡径鍔部（５３ｂ）の下面と突部（５６）の上面との間隔は、受支板（１３）の板厚とほぼ同一か、またはそれより若干小としておくのが好ましい。
【００４２】
したがって、両突部（５６）（５６）が凹入部（１６ａ）（１６ａ）を通るようにして、筒体（５３）の縮径段部（５３ａ）を、拡径鍔部（５３ｂ）の下端が受支板（１３）の上面に当接するまで嵌合孔（１６）に嵌合し、次いで、筒体（５３）を、各突部（５６）が凹入部（１６ａ）から外れるまで、好ましくは、ほぼ９０°中心軸線回りに回転させることにより、筒体（５３）における拡径鍔部（５３ｂ）の下面と突部（５６）の上面との間隙内に受支板（１３）がきつ目に挟み込まれ、筒体（５３）は受支板（１３）から外れ止めされる。このとき、各突部（５６）が若干弾性撓曲しうるように、筒体（５３）全体、または少なくとも各突部（５６）を、弾性変形可能な合成樹脂材料により形成しておくのがよい。
【００４３】
また、支杆（８）は、そのいずれかの係合孔（２３）にスリーブ分割片（５１ａ）（５１ａ）の上下２個の突部（５２）（５２）が嵌合し、そのスリーブ分割片（５１ａ）（５１ａ）によって形成されたスリーブ（５１）の拡径フランジ（５０）が、受支板（１３）に強固に支持され、かつ外れ止めされた筒体（５３）の環状突条（５５）に係合することにより、受支板（１３）上に強固に支持される。
【００４４】
図４、図９、及び図１０、特に図１０に示すように、支杆（８）の下部は、受支板（１３）より下方において、支持ブロック（５８）に設けられた支持孔（５９）に挿入されている。
【００４５】
支持ブロック（５８）には、梁杆（１４）における係合凹溝（１８）より下方の部分と下向き突条（１９）とによって形成された、断面形があり形の突条（６０）の上下の面に係合する上下１対の把持片（６１）（６２）が設けられている。
【００４６】
上方の把持片（６１）は、支持ブロック（５８）と一体的に形成され、支持ブロック（５８）の後面より後下方に向かって延出し、梁杆（１４）における係合凹溝（１８）に係合しうるとともに、突条（６０）の上面である傾斜面（１８ａ）と当接する下面（当接部）を、傾斜面（１８ａ）と同方向を向く傾斜面（６１ａ）としてある。
【００４７】
下方の把持片（６２）は、前後方向の中間部の上部が左右方向を向く軸（６３）をもって、支持ブロック（５８）に枢着され、後部に梁杆（１４）における下向き突条（１９）の下面、すなわち、突条（６０）の下面に係合する上向きのフック部（６４）を備え、かつ前部に、フック部（６４）が突条（６０）の下面に係合する図１０に実線で示す把持位置に位置しているときは、支持ブロック（５８）の支持孔（５９）と整合して、支持孔（５９）に嵌合された支杆（８）の外周面に当接し、図１０に想像線で示すように、フック部（６４）が突条（６０）の下面から下方に外れた離脱位置のときは、支持ブロック（５８）の支持孔（５９）内に突入し（このとき支持孔（５９）内に支杆（８）が嵌入されていないことが前提となる）、支持孔（５９）内に支杆（８）が上方より挿入されることにより、支杆（８）の下端により押動されて、把持位置に位置させられるようにした当接部（６５）を備えている。
【００４８】
支杆（８）の下端部は、支持孔（５９）内に挿入したときの下方の把持片（６２）の当接部（６５）の押動を円滑にするため、図９に示すような半球状、または先端に向かって漸次小径となるテーパ状とするのが好ましい。
【００４９】
各テーブル（４）（５）における左右１対の支杆（８）（８）を、上述のようにして、受支板（１３）と梁杆（１４）との上下２箇所で強固に支持し、かつ接床用脚杆（２５）の長さを、床から各支杆（８）の上端までの高さに合わせて調節した後、両支杆（８）（８）の上端に固着した水平杆（２４）（２４）と脚杆（２５）（２５）の上端とに、天板（２６）（２７）の前後の端部を載置して固定することにより、天板（２６）（２７）の後部（または前部）は、支持ユニット（Ａ）に強固に支持され、また天板（２６）（２７）の前部（または後部）は、接床する脚杆（２５）により簡易に支持され、支持ユニット（Ａ）に掛かる天板（２６）の荷重は半減させられる。
【００５０】
仕切りパネル（６）を支持ユニット（Ａ）に取り付けるには、まず、図８〜図１０に示すように、パネル受枠（２８）の下面両側部に設けられた各支杆（８）の所望の高さ位置に、スリーブ分割片（５１ａ）（５１ａ）と筒体（５３）とを、テーブル（４）（５）における支杆（８）の支持と同様にして装着し、各支杆（８）を、筒体（５３）が受支板（１３）の上面に当接するまで、受支板（１３）における中央の列の所望の嵌合孔（１６）に嵌合し、パネル受枠（２８）を受支板（１３）の上方の所望高さにほぼ水平に保持する。
【００５１】
次いで、仕切りパネル（６）の上端部を、上部梁杆（２）の下面における係合溝（２２）に嵌合した後、仕切りパネル（６）をほぼ垂直として、若干下降させ、仕切りパネル（６）の下端部を、パネル受枠（２８）に嵌合して支持させる。
【００５２】
パネル受枠（２８）の下面に設けた各支杆（８）の下端部は、フリー状態としておいてもよいが、例えば、図９及び図１０に示すように、梁杆（１４）の上面に、着脱自在かつ長手方向に摺動自在に装着した支持ブロック（６６）に設けた支持孔（６７）に嵌合して、各支杆（８）を、受支板（１３）と支持ブロック（６６）とにより、上下２箇所で支持するのが好ましい。
【００５３】
すなわち、図１２及び図１３に示すように、支持ブロック（６６）は、内面を支持孔（６７）とした筒体（６８）の下端に円形の鍔部（６９）が設けられ、鍔部（６９）の下面中央に、円形の頸部（７０）を介して、底面形をほぼ長円形とした係合板（７１）が連設されたものとしてある。
筒体（６８）の外周面と鍔部（６９）の上面との間には、複数の補強用のリブ（７２）が設けられている。
【００５４】
頸部（７０）の直径と、係合板（７１）の短軸方向の幅とは、梁杆（１４）の上面に形成された係合溝（１７）の開口部（１７ａ）の幅より小とし、係合板（７１）の長軸方向の長さは、係合溝（１７）の開口部（１７ａ）の幅より大で、好ましくは係合溝（１７）の下部（１７ｂ）の幅とほぼ等しくするのがよい。
【００５５】
したがって、支持ブロック（６６）は、支杆（８）を嵌合しようとする中央の列の嵌合孔（１６）のほぼ真下の位置において、係合板（７１）の長手方向が梁杆（１４）の長手方向を向くようにして、係合板（７１）を係合溝（１７）の開口部（１７ａ）より下部（１７ｂ）まで嵌合し、次いで、筒体（６８）の中心軸線回りにほぼ９０°回転させて、係合板（７１）の両端部を係合溝（１７）の下部（１７ｂ）の両側部に係合させることにより、梁杆（１４）に簡単に装着することができる。
また、支持ブロック（６６）は、そのままの状態か、または上述と逆の方向に若干回転させて、梁杆（１４）の長手方向に摺動させることにより、支持孔（６７）が所望の嵌合孔（１６）の真下に位置するように、容易に位置調整することができる。
【００５６】
パネル受枠（２８）は、その両側部の支杆（８）（８）を、上述のようにして、上下２箇所で支持ユニット（Ａ）に支持させることにより、特に前後方向に傾倒しないように強固に支持され、それによって、仕切りパネル（６）を安定して支持することができる。
【００５７】
図５〜図１０に示すように、棚装置（７）は、その下端の支杆（８）（８）を、テーブル（４）（５）の支杆（８）または仕切りパネル（６）支持用の支杆（８）と同様にして、前後及び中央のいずれかの列の任意の嵌合孔（１６）に嵌合し、かつ必要に応じて、支杆（８）の下端部を、支持ブロック（５８）の支持孔（５９）、または支持ブロック（６６）の支持孔（６７）に嵌合することにより、支持ユニット（Ａ）に簡単に、かつ強固に支持させることができる。
【００５８】
また、棚装置（７）の上端部を、上述したように、図５〜図８に示すように、左右１対の連結部材（４０）（４０）と、ねじ座（４６）及びねじ（４９）とからなる締着手段とにより、上部梁杆（２）の前面に強固に固着することにより、棚装置（７）は前後に倒れることなく、安定して支持される。
【００５９】
支持ユニット（Ａ）と、その上方に配設した上部梁杆（２）とに上下部を取り付けて使用できるワークステーション構成要素としては、上述の仕切りパネル（６）と棚装置（７）のみに限定されるものではなく、形状や構造及び機能の異なる各種のものを採用することができる。
【００６０】
例えば、ワークステーション構成要素を、図１４に示すように、下端部を上述の支杆（８）と同様にして、支持ユニット（Ａ）におけるいずれかの列の任意の嵌合孔（１６）に嵌合し、かつ上端部を上部梁杆（２）に固着または係止した左右１対の支杆（７３）（７３）の中間部前面に架設した黒板（７４）としたり、またはこの黒板（７４）に代えて、白板もしくはピンナップボードとしたりすることができる。
【００６１】
また、図１５に示すように、上述の棚装置（７）におけるのと同様の、下端に支杆（８）を連設した左右１対の側部フレーム（２９）（２９）間に、前面が開口する筐体（７５）を架設し、筐体（７５）の前面に上方に向かって開閉しうる扉（７６）を設けて、キャビネット（７７）を構成し、これを上述の棚装置（７）と同様にして、支持ユニット（Ａ）及び上部梁杆（２）に上下部を取り付け、一ワークステーション構成要素として使用することもできる。
【００６２】
さらに、棚装置（７）及びキャビネット（７７）等において、図１５に示すように、左右の側部フレーム（２９）（２９）の下端における支杆（８）より前部に、支杆（８）より長い接床用の脚杆（７８）を設け、これを接床させることにより、荷重を支杆（８）と脚杆（７８）とに分散させて、支杆（８）及び支持ユニット（Ａ）に掛かる荷重を軽減させることができる。
【００６３】
この場合に、左右の脚杆（７８）（７８）間に、複数段の補助棚（７９）等を架設すると、さらに便利に使用することができる。
【００６４】
棚装置（７）等のいずれのワークステーション構成要素においても、高さ調節が必要ない場合は、図１５に示すように、支杆（８）に拡径鍔部（８０）を設けて、支杆（８）を嵌合孔（１６）に嵌合したとき、この拡径鍔部（８０）が受支板（１３）の上面に当接し、かつ必要に応じて、支杆（８）の下端部が、支持ブロック（５８）の支持孔（５９）、または支持ブロック（６６）の支持孔（６７）に嵌合するようにすることにより、各ワークステーション構成要素を、支持ユニット（Ａ）に、より簡単に、かつ強固に支持させることができる。
【００６５】
その他にも、本発明は、幾多の変形した態様で実施することができる。
【００６６】
【発明の効果】
各請求項に記載の発明は、次のような効果を奏することができる。
請求項１：ワークステーション構成要素の下端部の支杆を、支持ユニットに設けた任意の支杆支持部に支持させ、かつ上端部を上部梁杆に結合させたので、高寸のワークステーション構成要素でも、前後左右に倒れることなく、安定して、簡単かつ強固に、しかも容易にレイアウト変更できるようにして支持ユニットに装着することができる。
【００６７】
請求項２：ワークステーション構成要素として、用途及び機能の異なる種々のものを用いることができ、それらを適宜組み合わせて支持ユニットに集約して装着することにより、多機能な作業空間を形成することができる。
【００６８】
請求項３：ワークステーション構成要素の上端部を、上部梁杆に、容易に外れることなく、確実に結合することができる。
【００６９】
請求項４：ねじ座の頭部を、上部梁杆の係合溝に前方より挿入した後、ねじ座を所要角度だけ回転させることにより、ねじ座を上部梁杆の係合溝に簡単に係止させることができ、上部梁杆へのワークステーション構成要素の上端部の結合作業を簡素化することができる。
【００７０】
請求項５：各ワークステーション構成要素の下端部に設けられた支杆の少なくとも一部を、支杆支持部である任意の嵌合孔に嵌合するだけで、多数のワークステーション構成要素を、簡単かつ迅速に支持ユニットに装着することができ、しかも、装着後に、各ワークステーション構成要素が妄りに移動することはない。
【００７１】
請求項６：支杆を、受支板の嵌合孔と、支持ブロックの支持孔とにより、上下２箇所で、安定して、強固に支持することができる。
【００７２】
請求項７：ワークステーション構成要素の荷重を、支杆と脚杆とに分散して、支杆及び支持ユニットにかかる荷重を軽減することができる。
【図面の簡単な説明】
【図１】本発明の一実施形態の外観斜視図である。
【図２】同じく、支持ユニットの分解斜視図である。
【図３】同じく、支持ユニットの基杆の分解斜視図である。
【図４】同じく、支持ユニットにテーブルを装着する際の状況を示す分解斜視図である。
【図５】同じく、支持ユニットに棚装置を装着した状態を、サイドカバーを外して示す斜視図である。
【図６】同じく、棚装置を後方より見た分解斜視図である。
【図７】同じく、棚装置における連結部材とその関連部材との分解斜視図である。
【図８】同じく、仕切りパネルの支持構造を示す要部の縦断側面図である。
【図９】同じく、支持ユニットの要部の縦断側面図である。
【図１０】同じく、要部の拡大縦断側面図である。
【図１１】同じく、筒体の正面図である。
【図１２】同じく、支持ブロックの正面図である。
【図１３】同じく、支持ブロックの底面図である。
【図１４】同じく、他のワークステーション構成要素の支持ユニットへの取り付け状況を示す斜視図である。
【図１５】同じく、さらに別のワークステーション構成要素の斜視図である。
【符号の説明】
（Ａ）（Ａ１）（Ａ２）支持ユニット
（１）追加支柱
（２）上部梁杆
（３）支杆支持部
（４）（５）テーブル（ワークステーション構成要素）
（６）仕切りパネル（ワークステーション構成要素）
（７）棚装置（ワークステーション構成要素）
（８）支杆
（９）支持脚
（１０）基杆
（１１）側枠
（１２）サイドビーム
（１３）受支板（配線ダクト）
（１３ａ）起立片
（１４）梁杆
（１５）起立板
（１６）嵌合孔（支杆支持部）
（１６ａ）凹入部
（１７）係合溝
（１７ａ）開口部
（１７ｂ）下部
（１８）係合凹溝
（１８ａ）傾斜面
（１９）下向き突条
（１９ａ）傾斜面
（２０）サイドカバー
（２１）エンドカバー
（２２）係合溝
（２２ａ）開口部
（２２ｂ）奥部
（２３）係合孔
（２４）水平杆
（２５）接床用脚杆
（２６）（２７）天板
（２８）パネル受枠
（２９）側部フレーム
（３０）下部腕杆
（３１）縦杆
（３２）上部腕杆
（３３）係止孔
（３４）ブラケット
（３４ａ）フック
（３５）棚板
（３６）折曲片
（３７）吊り杆
（３８）下向きフック
（３９）係合孔
（４０）連結部材
（４１）本体
（４２）（４３）差し込み筒部
（４４）上部フレーム
（４５）角孔
（４６）ねじ座
（４７）頸部
（４８）拡大頭部
（４９）ねじ
（５０）拡径フランジ
（５１）スリーブ
（５１ａ）スリーブ分割片
（５２）突部
（５３）筒体
（５３ａ）縮径段部
（５３ｂ）拡径鍔部
（５４）環状溝
（５５）環状突条
（５６）突部
（５７）凹部
（５８）支持ブロック
（５９）支持孔
（６０）突条
（６１）（６２）把持片
（６１ａ）傾斜面
（６３）軸
（６４）フック部
（６５）当接部
（６６）支持ブロック
（６７）支持孔
（６８）筒体
（６９）鍔部
（７０）頸部
（７１）係合板
（７２）リブ
（７３）支杆
（７４）黒板
（７５）筐体
（７６）扉
（７７）キャビネット
（７８）脚杆
（７９）補助棚
（８０）拡径鍔部
【図１】
2004223152.tif 000003
【図２】
2004223152.tif 000004
【図３】
2004223152.tif 000005
【図４】
2004223152.tif 000006
【図５】
2004223152.tif 000007
【図６】
2004223152.tif 000008
【図７】
2004223152.tif 000009
【図８】
2004223152.tif 000010
【図９】
2004223152.tif 000011
【図１０】
2004223152.tif 000012
【図１１】
2004223152.tif 000013
【図１２】
2004223152.tif 000014
【図１３】
2004223152.tif 000015
【図１４】
2004223152.tif 000016
【図１５】
2004223152.tif 000017
【手続補正書】
【提出日】平成15年1月28日(2003.1.28)
【手続補正１】
【補正対象書類名】図面
【補正対象項目名】全図
【補正方法】変更
【補正の内容】
【図１】
2004223152.tif 000018
【図２】
2004223152.tif 000019
【図３】
2004223152.tif 000020
【図４】
2004223152.tif 000021
【図５】
2004223152.tif 000022
【図６】
2004223152.tif 000023
【図７】
2004223152.tif 000024
【図８】
2004223152.tif 000025
【図９】
2004223152.tif 000026
【図１０】
2004223152.tif 000027
【図１１】
2004223152.tif 000028
【図１２】
2004223152.tif 000029
【図１３】
2004223152.tif 000030
【図１４】
2004223152.tif 000031
【図１５】
2004223152.tif 000032